(57)【要約】      （修正有）【課題】前扉を開放することなく、遊技機の簡易的な検査や遊技機の状態の把握を可能とする遊技機を提供する。【解決手段】筐体１２又は前扉１４は、演出内容を表示可能であり表示領域の少なくとも一部を透明状態又は不透明状態に切り替え可能な表示装置８４を備え、表示装置８４は前扉１４により筐体１２の前面側を閉じた状態であると共に、演出内容を表示可能な状態である遊技可能状態で、当該表示装置８４を透明状態にするとメイン制御基板が視認可能となり、不透明状態にするとメイン制御基板が視認不可能な状態になるように配置され、前扉１４を閉じた状態で、特定の操作を行うことにより、表示領域の少なくとも一部を透明状態にすることでメイン制御基板の特定部分を視認可能にすることを特徴とする。【選択図】図３
2019198534.tif 000002
【特許請求の範囲】
【請求項１】
前面側が開放され、他の面を板状体で形成される直方体状の筐体と、
前記筐体の前面側を開閉可能に覆う前扉と、を備え、
前記筐体は、当該筐体の他の面のいずれかの面に配置され、遊技の進行を制御する主制御装置を備え、
前記筐体又は前記前扉は、演出内容を表示可能であり、表示領域の少なくとも一部を透明状態又は不透明状態に切り替え可能な表示装置を備え、
前記表示装置は、前記前扉により前記筐体の前面側を閉じた状態であると共に、演出内容を表示可能な状態である遊技可能状態で、当該表示装置を前記透明状態にすると前記主制御装置が視認可能となり、前記不透明状態にすると前記主制御装置が視認不可能な状態になるように配置され、
前記前扉を閉じた状態で、特定の操作を行うことにより、前記表示領域の少なくとも一部を前記透明状態にすることで前記主制御装置の特定部分を視認可能にすることを特徴とする遊技機。
【請求項２】
前記主制御装置には、遊技に関わる情報のうち特定の情報に係るデータを表示可能な表示部を備え、
前記表示装置は、前記表示領域の一部を前記透明状態にして、前記表示部を視認可能な状態にし、他の表示領域を前記不透明状態にしていることを特徴とする請求項１に記載の遊技機。
【請求項３】
前記不透明状態にした前記他の表示領域に点検内容に関する表示を行うことを可能にしていることを特徴とする請求項２に記載の遊技機。
【請求項４】
前記特定部分は、前記主制御装置の複数箇所に設けられ、特定の契機により、当該特定部分に対応した前記表示領域を透明状態に切り替えるようにしていることを特徴とする請求項１、２又は３に記載の遊技機。
【請求項５】
前記表示装置は、遊技機の電源が切られた状態では、全ての表示領域が前記不透明状態となるように形成されることを特徴とする請求項１、２、３又は４に記載の遊技機。
【請求項６】
前記表示装置は、前記筐体に設けられ、
前記前扉には、前記表示装置に表示される演出内容を当該前扉により前記筐体の前面側を閉じた状態で視認可能とする透過部を備えることを特徴とする請求項１、２、３、４又は５に記載の遊技機。
【請求項７】
前記表示装置は可撓性を備え、所定の操作で前記主制御装置の遊技者側を覆い得る位置から退避させた退避状態へ変形可能に形成されていることを特徴とする請求項１、２、３、４、５又は６に記載の遊技機。
【請求項８】
前記前扉の前面側には、特定事象が発生した場合に、当該特定事象が生じたこと及び当該特定事象の種類を報知可能な報知装置を備え、
前記退避状態は、前記特定事象の点検内容に関する表示を行う当該表示装置の一部が遊技者側に、他の一部が前記筐体の内部側に向かった状態であり、
当該退避状態で、前記表示装置の他の一部を光源として点灯することで、前記筐体の内部を照光可能にしていることを特徴とする請求項７に記載の遊技機。
【発明の詳細な説明】
【技術分野】
【０００１】
この発明は、遊技機に関するものである。
【背景技術】
【０００２】
従来、前扉と筐体とからなる遊技機であって、筐体の内部側に、遊技の進行を制御するいわゆるメイン制御基板が配置された遊技機が知られている。
かかる遊技機では、遊技店の店員が検査や遊技機の状態を把握するためメイン制御基板を視認するには、筐体から前扉を開ける必要があった。
【先行技術文献】
【特許文献】
【０００３】
【特許文献１】特開２０１４−１６６４８５号公報
【発明の概要】
【発明が解決しようとする課題】
【０００４】
しかし、前扉を筐体から開けるためには、前扉の施錠を解除する必要があり、前扉を開けることなく遊技機の簡易的な検査や、遊技機の状態の把握を可能とすることが望まれていた。
そこで、各請求項にそれぞれ記載された各発明は、上記した従来の技術の有する問題点に鑑みてなされたものであり、その目的とするところは、次の点にある。
【０００５】
すなわち、本発明は、前扉を開放することなく、遊技機の簡易的な検査や遊技機の状態の把握を可能とする遊技機に関するものである。
【課題を解決するための手段】
【０００６】
各請求項にそれぞれ記載された各発明は、上記した目的を達成するためになされたものであり、各発明の特徴点を図面に示した発明の実施の形態を用いて、以下に説明する。
本発明に係る遊技機(10)は、前面側が開放され、他の面を板状体で形成される直方体状の筐体(12)と、前記筐体(12)の前面側を開閉可能に覆う前扉(14)と、を備え、前記筐体(12)は、当該筐体(12)の他の面のいずれかの面に配置され、遊技の進行を制御する主制御装置を備え、前記筐体(12)又は前記前扉(14)は、演出内容を表示可能であり、表示領域の少なくとも一部を透明状態(T)又は不透明状態(0)に切り替え可能な表示装置(84)を備え、前記表示装置(84)は、前記前扉(14)により前記筐体(12)の前面側を閉じた状態であると共に、演出内容を表示可能な状態である遊技可能状態で、当該表示装置(84)を前記透明状態(T)にすると前記主制御装置が視認可能となり、前記不透明状態(O)にすると前記主制御装置が視認不可能な状態になるように配置され、前記前扉(14)を閉じた状態で、特定の操作を行うことにより、前記表示領域の少なくとも一部を前記透明状態(T)にすることで前記主制御装置の特定部分を視認可能にすることを特徴とする。
【０００７】
ここで、「当該表示装置を前記透明状態にすると前記主制御装置が視認可能となり、前記不透明状態にすると前記主制御装置が視認不可能な状態になるように配置」には、筐体(12)を正面側から見た場合に主制御装置（例えば、メイン基板ケース200a、メイン基板200b）の全部を視認不可能にする位置であるが、これに限定されず、主制御装置の全部が視認不可能にならず、一部が視認可能であっても良い。
「特定の操作」は、例えば、遊技店の店員が各種のスイッチを用いてコマンドを入力することを含む。
「特定部分」は、主制御装置の、例えば、ＣＰＵが配置されている部分や、遊技に関わる情報のうち特定の情報に係るデータを表示可能な表示部（例えば、比率表示器（役比モニタ））が配置されている部分、かしめ部が配置されている部分などを含むが、これに限定されず、点検が必要な部分であれば良い。
【０００８】
これにより、前扉(14)を開放することなく、遊技機(10)の簡易的な検査や遊技機（10）の状態を把握することが可能な遊技機(10)を提供することができる。
そして、不正行為などが行われていることや、エラーが起きていることなどを迅速に把握することが可能となる。
【０００９】
また、本発明に係る遊技機(10)の具体例としては、さらに、前記主制御装置には、遊技に関わる情報のうち特定の情報に係るデータを表示可能な表示部を備え、前記表示装置(84)は、前記表示領域の一部を前記透明状態(T)にして、前記表示部を視認可能な状態にし、他の表示領域を前記不透明状態(0)にしていることを特徴とする。
【００１０】
これにより、前扉(14)を開放することなく、表示部を視認することができ、遊技機(10)の情報を把握することが可能な遊技機(10)を提供することができる。
また、表示部は、採用される遊技機(10)の機種毎に主制御装置（例えば、メイン基板200b）における配置も異なるため、遊技店の店員などの点検する者がマニュアルを確認しながら点検することは負担が大きいものとなる。そのため、機種毎に点検対象となる表示部の位置などに関する情報を記憶しておき、マニュアルを確認することなく複数種類の機種の点検を効率的に行うことが可能な遊技機(10)を提供することができる。
【００１１】
また、本発明に係る遊技機(10)の具体例としては、さらに、前記不透明状態(O)にした前記他の表示領域に点検内容に関する表示を行うことを可能にしていることを特徴とする。
ここで、「点検内容に関する表示」は、例えば、特定部分の正しい状態などを表示することにより、実施の不透明状態(O)にされることで視認可能となった特定部分と比較することが可能となり、遊技機(10)が故障していることや、不正改造されているおそれがあることなどを判断可能にすることが可能な遊技機(10)を提供することができる。
【００１２】
また、本発明に係る遊技機(10)の具体例としては、さらに、前記特定部分は、前記主制御装置の複数箇所に設けられ、特定の契機により、当該特定部分に対応した前記表示領域を透明状態(T)に切り替えるようにしていることを特徴とする。
【００１３】
ここで、「特定の契機」は、例えば、時間の経過や、遊技店の店員による切り替え操作などが含まれるが、これに限定されず、遊技機(10)がエラーを起こしている部分や不正改造がされているおそれのある部分を判断し、当該部分を順次透明状態(T)に切り替えていくようにしても良い。
【００１４】
これにより、１度の点検で、必要な点検箇所を順次点検することが可能な遊技機(10)を提供することができる。
また、採用される遊技機(10)の機種毎に主制御装置（例えば、メイン基板ケース200a、メイン基板200b）における特定部分の配置も異なるため、遊技店の店員などの点検する者がマニュアルを確認しながら点検することは負担が大きいものとなる。そのため、機種毎に点検対象となる部品の位置や形状などに関する情報を記憶しておき、マニュアルを確認することなく複数種類の機種の点検を効率的に行うことが可能な遊技機(10)を提供することができる。
【００１５】
また、本発明に係る遊技機(10)の具体例としては、さらに、前記表示装置(84)は、遊技機(10)の電源が切られた状態では、全ての表示領域が前記不透明状態(O)となるように形成されることを特徴とする。
これにより、停電時や、遊技機(10)の電源が切られた運搬時などに、主制御装置が視認可能となることを防止することが可能な遊技機(10)を提供することができる。
また、主制御装置が視認可能となることに伴う、不正改造の誘発などを防止することが可能な遊技機(10)を提供することができる。
【００１６】
また、本発明に係る遊技機(10)の具体例としては、さらに、前記表示装置(84)は、前記筐体(12)に設けられ、前記前扉(14)には、前記表示装置(84)に表示される演出内容を当該前扉(14)により前記筐体(12)の前面側を閉じた状態で視認可能とする透過部(85)を備えることを特徴とする。
【００１７】
これにより、表示装置(84)を筐体(12)側に配置することで、遊技機(10)の重量バランスを取りやすくすることが可能な遊技機(10)を提供することができる。
また、前扉(14)を閉じた状態でも透過部(85)を通して透明状態(T)となった部分に対応する主制御装置を視認可能とすることが可能な遊技機(10)を提供することができる。
【００１８】
また、本発明に係る遊技機(10)の具体例としては、さらに、前記表示装置(84)は可撓性を備え、所定の操作で前記主制御装置の遊技者側を覆い得る位置から退避させた退避状態へ変形可能に形成されていることを特徴とする。
【００１９】
ここで、「主制御装置の遊技者側を覆い得る位置」は、筐体(12)を正面側から見た場合に主制御装置（例えば、メイン基板ケース200a、メイン基板200b）と表示装置(84)とが重なる位置である。また、筐体(12)を正面側から見た場合に、主制御装置の全部が表示装置(84)により遮られることで視認不可能とされることが望ましいが、これに限定されず、主制御装置の全部が視認不可能にならず、一部が視認可能であっても良い。
また、「主制御装置の遊技者側を覆い得る位置」では、少なくとも主制御装置の不正改造がされやすい箇所や、部品など、例えば、ＣＰＵやかしめ部(202)などが表示装置(84)により遮られていることが望ましい。
「所定の操作」は、例えば、前扉(14)を開放することや、遊技店の店員が各種のスイッチを用いてコマンドを入力することや、前扉(14)を開放した後に、手を用いて表示装置(84)を折り曲げるなどの手法で、退避状態へ変形させることを含む。
また、「主制御装置の遊技者側を覆い得る位置から退避させた退避状態」は、遊技店の店員が遊技機(10)の点検をする際などに、主制御装置の少なくとも頻繁に点検を要する箇所や、部品などが表示装置(84)により遮られることがない位置まで退避させた状態であることが望ましい。
【００２０】
主制御装置を覆うように表示装置(84)を配置することで、不正行為により主制御装置にアクセスし難くすることが可能となり、不正行為が行われ難くすることが可能な遊技機(10)を提供することができる。そして、表示装置(84)を方形に形成し、筐体(12)の正面から向かって左側面板、右側面板、上側面板の少なくとも１つ、望ましくは３つと接するように配置したり、表示装置(84)と主制御装置とを接するように配置したりすることで、筐体(12)と表示装置(84)との間や主制御装置と表示装置(84)との間の隙間を少なくして、不正行為により主制御装置にアクセスすることをより難しくすることができる。
また、遊技店の店員が遊技機(10)の点検をする際などに、表示装置(84)に邪魔されることなく、主制御装置にアクセスすることが可能な遊技機(10)を提供することができる。
【００２１】
また、本発明に係る遊技機(10)の具体例としては、さらに、前記前扉(14)の前面側には、特定事象が発生した場合に、当該特定事象が生じたこと及び当該特定事象の種類を報知可能な報知装置を備え、前記退避状態は、前記特定事象の点検内容に関する表示を行う当該表示装置(84)の一部(84a)が遊技者側に、他の一部(84b)が前記筐体の内部側に向かった状態であり、当該退避状態で、前記表示装置(84)の他の一部(84b)を光源として点灯することで、前記筐体(12)の内部を照光可能にしていることを特徴とする。
【００２２】
これは、筐体(12)の内部には、当該内部側を照光するライトなどが設けられていないことが通常であり、遊技店の店内の照明に頼って内部を筐体(12)の内部を点検すると、筐体(12)の内部が暗く、点検内容によっては点検する箇所が見づらい場合が多い。そのため、かかる構成を備えることにより別途ライトなどを用いることなく点検を容易にすることが可能な遊技機(10)を提供することができる。
【図面の簡単な説明】
【００２３】
【図１】本発明の第１の実施の形態であって、遊技機の概略正面図である。
【図２】本発明の第１の実施の形態であって、遊技機の入力、制御及び出力を示すブロック図である。
【図３】本発明の第１の実施の形態であって、表示装置の配置状態を示す斜視図である。
【図４】本発明の第１の実施の形態であって、図３の状態の表示装置を退避状態へ変形した状態を示す斜視図である。
【図５】本発明の第１の実施の形態であって、表示装置の退避状態への変形を説明するための説明図である。
【図６】本発明の第１の実施の形態であって、退避状態の表示装置における特定事象の点検内容に関する表示を説明するための説明図である。
【図７】本発明の第１の実施の形態であって、表示装置の配置状態の他の例を示す斜視図である。
【図８】本発明の第１の実施の形態であって、図７の状態の表示装置を退避状態へ変形した状態の他の例を示す斜視図である。
【図９】本発明の第１の実施の形態であって、表示装置の退避状態への変形の他の例を説明するための説明図である。
【図１０】本発明の第１の実施の形態であって、退避状態の表示装置における特定事象の点検内容に関する表示の他の例を説明するための説明図である。
【図１１】本発明の第１の実施の形態であって、メイン基板ケースに収納されたメイン基板の正面図である。
【図１２】本発明の第１の実施の形態であって、図２のメイン制御手段の詳細を説明するための概略ブロック図である。
【図１３】本発明の第１の実施の形態であって、図２のサブ制御手段の詳細を説明するための概略ブロック図である。
【図１４】本発明の第１の実施の形態であって、払出表示器のエラー表示に関する説明図である。
【図１５】本発明の第１の実施の形態であって、比率表示器の表示に関する説明図である。
【図１６】本発明の第１の実施の形態であって、図２のメイン制御手段側で管理している遊技の状態の説明図である。
【図１７】本発明の第１の実施の形態であって、有利区間の状態の説明図である。
【図１８】本発明の第２の実施の形態であって、図１の状態から表示装置の表示領域の全てを透明状態にした状態を説明するための遊技機の概略正面図である。
【図１９】本発明の第２の実施の形態であって、図１８に示す透明状態にした表示装置を通して視認可能となったメイン基板とメイン基板ケースとの状態を説明するための説明図である。
【図２０】本発明の第２の実施の形態であって、図１９に示す表示装置の表示領域の一部を透明状態にするとともに、不透明状態にした表示領域に点検内容に関する表示をした状態の一例を説明するための説明図である。
【図２１】本発明の第２の実施の形態であって、図１９に示す表示装置の表示領域の一部を透明状態にするとともに、不透明状態にした表示領域に点検内容に関する表示をした状態の他の一例を説明するための説明図である。
【図２２】本発明の第２の実施の形態であって、図１９に示す表示装置の表示領域の一部を透明状態にするとともに、不透明状態にした表示領域に点検内容に関する表示をした状態のさらに別の一例を説明するための説明図である。
【発明を実施するための形態】
【００２４】
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
【００２５】
本実施の形態に係る遊技機10としてのスロットマシンを、以下、図１、図２を参照しながら説明する。本実施の形態に係る遊技機10としてのスロットマシンは、前面側が開放され、他の面を板状態で形成される直方体状の筐体12と、この筐体12の前面側を開閉可能に覆う前扉14とを備えている。
【００２６】
（回転リール62）
前扉14の上部には、薄板樹脂からなる上パネル20を備えている。この上パネル20の略中央には、３個の回転リール62（正面から向かって左側の左回転リール64、中央の中回転リール66、右側の右回転リール68）の円周上の図柄61を見ることができる透過可能な図柄表示窓部16が形成されている。この図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、複数の図柄61を図柄表示窓部16を介して変動表示可能なものである。
【００２７】
（リールユニット60）
前記図柄表示窓部16の後方向（奥方向）には、３個のリール駆動モータ65と、この各リール駆動モータ65によってそれぞれ回転させられる合計３個の前記回転リール62と、前記リール駆動モータ65及び前記回転リール62を保持するユニットホルダ（図示せず）とを有するリールユニット60が配置されている。また、リールユニット60には、回転リール62の回転位置が基準となる位置（基準位置）であることを検出するためリール位置センサ63が設けられている。このリール駆動モータ65は、メイン制御手段200から出力されるリール駆動モータ65を駆動するための駆動信号に基づき駆動する。さらに、リールユニット60には、回転リール62上の図柄61を照らすためのバックランプ67が設けられている。
【００２８】
（クレジット表示器87、払出枚数表示器88）
前記図柄表示窓部16の下方には、クレジットメダルの貯留枚数を表示するクレジット表示器87と、このクレジット表示器87の左側に配置され、遊技機10から払い出されたメダルの総数を表示する払出枚数表示器88とが設けられている。これらの表示器は、例えば２個の７セグメントＬＥＤで構成されており、クレジット表示器87は２桁の貯留枚数、払出枚数表示器88は２桁の払出枚数が表示可能になっている。
【００２９】
ここで、払出枚数表示器88は、後述する特定事象検知手段270により特定事象が発生したことが検知された場合に、当該特定事象が生じたこと及び当該特定事象の種類を報知可能な報知装置の一例である。
【００３０】
（区間報知ランプ90）
また、図柄表示窓部16の下方には、後述する「有利区間」に移行したことを契機にメイン制御手段200により点灯される区間報知ランプ90が設けられている。
この区間報知ランプ90は、押し順報知の状態が「有利区間」である間は常時点灯されており、「非有利区間」に移行したことを契機にメイン制御手段200により消灯される。
【００３１】
なお、本実施の形態にかかる区間報知ランプ90は、「有利区間」である間、常時点灯するものであるが、これに限らず、「有利区間」である間の、例えば、押し順を報知する遊技でのみ点灯する又は当該遊技以降も継続して点灯する場合や、特定の押し順を報知する遊技でのみ点灯する又は当該遊技以降も継続して点灯する場合、有利区間における出玉状況（例えば差枚数）が特定の出玉状況（例えば差枚数が１０００枚に到達）であるときにのみ点灯する又は当該特定の状況に到達した以降も継続して点灯する場合、有利区間における出玉状況（例えば差枚数）が特定の出玉状況であって押し順を報知する遊技でのみ点灯する又は当該遊技以降も継続して点灯する場合、など常時点灯させなくても良い。また、前述の様に、区間報知ランプ90を継続して点灯する場合は、例えば、有利区間の上限ゲーム数（１５００ゲーム）に到達するまで点灯させる、又は、例えば、有利区間の上限ゲーム数未満の範囲内で設定される所定のゲーム数（例えば１０００ゲーム）に到達するまで点灯させると良い。
【００３２】
ここで、区間報知ランプ90の点灯制御は、メイン制御手段200に搭載されている制御手段により制御されることが望ましく、有利区間を制御する有利区間制御手段260により実行する、或いは、当該点灯制御を実行する専用の区間報知制御手段を設けて実行する、ことが可能である。
【００３３】
（操作部30）
前記前扉14の下部には下パネル22が設けられている。そして、前扉14には下パネル22の上部に位置して前扉14の前方向へ向けて突出する操作部30を備えている。
本実施の形態に係る遊技機10には、遊技開始の条件として投入するためのメダルを後述するメダル投入口38からあらかじめ投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
前記操作部30の上面右側には、遊技媒体としてのメダルを投入するためのメダル投入口38が設けられている。
【００３４】
（メダルセレクタ17）
筐体12内部であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検出する投入センサ92が設けられている。
【００３５】
なお、筐体12内部には図示しないメダル通路が設けられており、メダルセレクタ17において非正規のメダルとして排除されたメダルや、ホッパーユニット24から払い出されたメダルが、このメダル通路を通過してメダル払出口28から払い出される。
【００３６】
（精算スイッチ36）
メダル投入口38の下方には、クレジット機能によりクレジットしたメダルの全てを払い出すための精算スイッチ36が設けられている。
【００３７】
（ストップスイッチ50）
前記操作部30の中央には、操作により対応する回転リール62の回転を停止させるため、３個の回転リール62のそれぞれに対応する３個のストップスイッチ50が設けられている。このストップスイッチ50は、左回転リール64を停止させるための左ストップスイッチＬと、中回転リール66を停止させるための中ストップスイッチＣと、右回転リール68を停止させるための右ストップスイッチＲとを有している。すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００３８】
（スタートスイッチ40）
このストップスイッチ50の左側には、メダルの投入又は後述するベットスイッチ32の操作を条件に回転リール62の回転を開始させるためのスタートスイッチ40が設けられている。すなわち、このスタートスイッチ40は、遊技者の操作により回転リール62の図柄61の変動表示を開始させるためのものである。
【００３９】
（ベットスイッチ32）
このスタートスイッチ40の上方には、貯留されたクレジットメダルから投入されたメダル数（クレジットされたメダル数）から最大投入枚数（具体的には３枚）に達するまで投入可能なメダル数を減じて２又は３枚のメダル投入に代えるマックスベットスイッチ34と、クレジットしたメダル数から１枚のメダル数を減じて１枚のメダル投入に代えるシングルベットスイッチ35とが設けられている。
【００４０】
（演出用ボタンスイッチ42）
マックスベットスイッチ34の右側には、所定の演出において遊技者が操作可能な演出用ボタンスイッチ42が設けられている。
前記前扉14の裏側には、扉開閉用スイッチ19、設定変更スイッチ46、設定表示器89などが配置されている。
【００４１】
（扉開閉用スイッチ19）
扉開閉用スイッチ19は前扉14が閉じているか否かを検知するためのものである。この扉開閉用スイッチ19は、前扉14が閉塞している場合に、前扉14の背面と扉開閉用スイッチ19の前面とが押圧されることでオンとなり、前扉14が開放するに従って、前扉14の背面が扉開閉用スイッチ19の前面から離間して押圧が解除されることでオフとなる。
【００４２】
（設定変更スイッチ46）
設定変更スイッチ46は、後述する電源ユニット43の設定キースイッチ45と共に設定変更を行うためのものである。
【００４３】
（設定表示器89）
設定表示器89は、例えば７セグメントの小型のＬＥＤにより、大当り確率の設定値を表示するものである。設定表示器89には、当該遊技機10の設定値が表示されるが、外部から視認できないようにすべく、設定後一定時間が経過するとその表示は解除される。
【００４４】
前記前扉14の下部に相当する筐体12の内部には、メダルを貯留することができるとともに、メダルを払い出すことができるホッパーユニット24と、電源投入又は電源遮断のための操作が可能な電源スイッチ44を有すると共に各部品に電力を供給するための電源ユニット43とが配置されている。
【００４５】
（ホッパーユニット24）
このホッパーユニット24には、メダルセレクタ17から流下した正規のメダルを貯留するメダルタンク24aと、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンク（図示せず）の近傍に設けられ、補助タンク内のメダルが満杯になったことを検出してメイン制御手段200へ信号を出力するオーバーフローセンサ96とが設けられている。
【００４６】
（電源ユニット43）
この電源ユニット43には、電源投入又は電源遮断のための操作が可能な電源スイッチ44と、設定変更処理のための設定キースイッチ45とが設けられている。
【００４７】
（メダル払出口28等）
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００４８】
（遊技の流れの説明）
本実施の形態に係る遊技機10は、マックスベットスイッチ34やシングルベットスイッチ35等の操作又はメダル投入により所定枚数のメダルを投入することにより遊技の開始を可能とするものである。そして、スタートスイッチ40の押下操作により、回転リール62の回転を開始させて遊技が開始されるとともに、複数の役のいずれかに当選か又はハズレかの役抽選が行われる。そして、当該遊技機10は、各回転リール62に対応するストップスイッチ50の操作タイミング及び役抽選の結果に基づいて、回転リール62の回転を役抽選の結果に適合するように停止させる。当該遊技機10は、停止時の図柄61の組み合わせによって、当選した役を構成する図柄61の組み合わせが所定の有効なライン（所定の役の図柄61の組み合わせが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００４９】
この有効ライン86は、具体的には３個の回転リール62にそれぞれ表示されている図柄61のうち図柄表示窓部16から視認可能な図柄61を各回転リール62につき１個ずつ繋いでできる、複数の回転リール62の全てを貫くライン（途中で折れ曲がりも可）のうち、入賞等するために有効となる図柄61の組み合わせの並びを規定したラインである。このラインは、規定の賭け数（予め定められた数であって本実施の形態では３）のメダルをベットすることにより有効ライン86になる。
【００５０】
本実施の形態の有効ライン86は、左回転リール64、中回転リール66、右回転リール68の中段を結んだライン、の１本である。
なお、有効ライン86として、１ラインを示したが、これに限定されず、２〜５ライン、或いはＶ字形や山形を含めて６ライン以上としても良い。
また、遊技状態（図１６参照）を問わず１ラインとしたが、これに限定されず、遊技状態で有効ラインの数を変えるようにしても良い。
【００５１】
また、図示しないが、左回転リール64、中回転リール66及び右回転リール68の表面には、「赤セブン」、「青セブン」、「バー」、「リプレイ」、「ベル」、「チェリー」などの複数の種々の図柄61が形成されている。
これらの図柄61は、それぞれの絵柄がプリントされたテープを回転リール62の外周表面に貼付することで形成されている。
【００５２】
（演出装置70）
前記前扉14と前記筐体12には、遊技者に役抽選の当選等の種々の情報を音や光や映像等で報知させるための演出装置70が形成されている。この演出装置70は、スピーカー72と、演出用ランプ78、表示装置84とを備えている。
【００５３】
（スピーカー72）
前記スピーカー72は、前扉14の上部左右に配置された上部スピーカー74と、前扉14の下部左右に配置された下部スピーカー76とを備えている。
【００５４】
（演出用ランプ78）
前記演出用ランプ78は、前扉14の上部に配置された上部ランプ80と、前扉14の下部の左右に配置された下部ランプ82とを備えている。
【００５５】
（表示装置84）
前記表示装置84は、その画面に種々の映像を表示し、演出内容を表示可能なＥＬ表示装置（有機ＥＬ表示装置、無機ＥＬ表示装置を含む）である。
なお、表示装置84は、ＥＬ表示装置に限定されず、本発明の目的を達成可能であれば液晶装置などであっても良い。
【００５６】
表示装置84は、図３、図４、図７、図８に示すように、筐体12のメイン基板ケース200aの遊技者側を覆い得る位置に配置される。
ここで、メイン基板ケース200aの遊技者側を覆い得る位置は、筐体12を正面側から見た場合にメイン基板ケース200aと表示装置84とが重なる位置である。また、筐体12を正面側から見た場合に、メイン基板ケース200aの全部が表示装置84により遮られることで視認不可能とされることが望ましいが、これに限定されず、メイン基板ケース200aの全部が視認不可能にならず、一部が視認可能であっても良い。
また、メイン基板ケース200aの遊技者側を覆い得る位置は、少なくともメイン基板ケース200a、メイン基板200bの不正改造がされやすい箇所や、部品など、例えば、ＣＰＵやかしめ部202などは、表示装置84により遮られていることが望ましい。
【００５７】
また、図３、図４、図７、図８に示すように、表示装置84を方形に形成し、筐体12の正面から向かって左側面板、右側面板、上側面板の３つと接するように配置されることが望ましい。
これにより、筐体12と表示装置84との間の隙間を少なくして、不正行為により主制御装置にアクセスすることをより難しくすることができる。
なお、図示しないが、メイン基板ケース200aの正面側の面に接するように配置することで、より筐体12と表示装置84との間の隙間を少なくして、不正行為により主制御装置にアクセスすることをより難しくするようにしても良い。
【００５８】
また、前扉14の上パネル20の上側には、表示装置84に表示される演出内容を前扉14により筐体12の前面側を閉じた状態で視認可能とする透過部85を備える。
そのため、前扉14により筐体12の前面側を閉じた状態であると共に表示装置84に演出内容を表示可能な状態である遊技可能状態では、遊技者は、透過部85を通して表示装置84に表示される演出内容を視認可能である。
【００５９】
表示装置84は、可撓性を備え、後述するが、所定の操作、本実施の形態では、前扉14を開放することなどにより、メイン基板ケース200aの遊技者側を覆い得る位置から退避させた退避状態へ変形可能に形成されている（図４、図５、図６、図８、図９、図１０参照）。
【００６０】
また、後述するが、表示装置84は、メイン基板ケース200aの遊技者側を覆い得る位置から退避させた退避状態で、当該表示装置84の一部に特定事象の点検内容に関する表示が行われる（図６、図１０参照）。
【００６１】
（制御装置100）
図２に示すように、遊技機10の内部には、遊技機10の全体の動作を制御するための制御装置100が形成されている。この制御装置100は、主制御装置の一例であり遊技を進行させて遊技状態を制御するメイン制御手段200と、このメイン制御手段200からの情報（コマンド）を受けて、遊技の進行に応じた演出を制御し、主に遊技内容に関する情報を遊技者に報知する演出を行うための制御を行うサブ制御手段300とを備えている。
【００６２】
なお、メイン制御手段200とサブ制御手段300との間は、メイン制御手段200への不正操作を防止するために、メイン制御手段200からサブ制御手段300への一方向の通信により行われ、サブ制御手段300からメイン制御手段200への逆方向の通信は行われていない（すなわち双方向の通信ではない）。メイン制御手段200は、スタートスイッチ40、ストップスイッチ50、ベットスイッチ32、精算スイッチ36の入力を受け付け、役抽選を行い、リールユニット60及びホッパーユニット24の作動を制御する。サブ制御手段300は、メイン制御手段200から信号を入力し、表示装置84等の演出装置70の作動を制御する。サブ制御手段300の出力側には、演出装置70としての表示装置84、スピーカー72、演出用ランプ78の各パーツが接続されている。
【００６３】
図１１に示すメイン制御手段200を有するメイン基板200bと、サブ制御手段300を有するサブ基板300bとは、それぞれ専用の透明樹脂製の基板ケース200a,300aの内部に収納されている。具体的には、メイン基板200bは、メイン基板ケース200aの内部に収納され、サブ基板300bは、サブ基板ケース300aの内部に収納されている。
ここで、メイン基板ケース200aとメイン基板200bとは、主制御装置の一例である。
そして、図３に示すように、メイン基板ケース200aは、筐体12内部の奥側、本実施の形態では、筐体12の背面板の上部に配置され、図８に示すように、サブ基板ケース300aは、筐体12内部の正面から向かって左側の左側面板に固定されている。
【００６４】
メイン制御手段200及びサブ制御手段300は、ＣＰＵ、ＲＯＭ、ＲＡＭ、Ｉ／Ｏポートを備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００６５】
また、図１１に示すように、メイン基板200bの前面側（筐体12の前面側に向かう面）には、例えば４個の７セグメントＬＥＤで構成される比率表示器201（役比モニタ）が設けられている。
比率表示器201（役比モニタ）は、遊技に関わる情報のうち特定の情報に係るデータを表示可能な表示部であり、図１５を用いて後述する。
【００６６】
また、図１１に示すように、メイン基板ケース200aには、メイン基板ケース200aを封印するかしめ部202が設けられている。
かしめ部202は、内部のＣＰＵなどに不正改造等が施されないように、メイン基板ケース200aを封印して、メイン基板ケース200aが不正に開放された際にはその痕跡が残るようにするための部分である。
なお、かしめ部202は、遊技機10の機種毎に設けられる位置や形状が異なり、又、図１１に示すように、１カ所に限定されず、複数箇所、例えば、基板ケース200aの左側と右側との両方に設けられても良い。
【００６７】
その他、メイン基板ケース200aとメイン基板200bとには、基板番号、筐体ＩＤ、コネクタ、ＣＰＵ番号、封印シール、封印キャップ、モニタＬＥＤなど、点検を要する箇所や、部品などが設けられている。
ここで、基板番号や筐体ＩＤは、頻繁に点検するものではないため、表示装置84を退避状態に変形した際に視認可能となる部分に配置される必要はないが、頻繁に点検する必要のある役比モニタ201などは、表示装置84を退避状態に変形した際に、視認可能となる部分に配置されている必要がある。
【００６８】
（外部集中端子板18）
また、筐体12内部の正面から向かって右側には、外部集中端子板18が設けられている。
外部集中端子板18は、遊技データを遊技機10外部に出力させるものであり、メイン基板200bと配線される接続端子（コネクタ）や、外部機器（図示省略）と配線される接続端子（コネクタ）が設けられた端子板である。また、外部集中端子板18は、図示しないが、データ表示器などの遊技島設備やホールコンピュータに接続されている。
【００６９】
（メイン制御手段200）
メイン制御手段200は、図１２に示すように、役抽選手段210、リール制御手段220、停止図柄判定手段230、払出制御手段240、遊技制御手段250、有利区間制御手段260、特定事象検知手段270、遊技履歴監視手段280及び送信手段290の各手段を有する。各手段の詳細については後述する。なお、有利区間制御手段260は、メイン制御手段200ではなく、サブ制御手段300が有しても良いし、又、メイン制御手段200とサブ制御手段300との両方に分けて有するようにしても良い。
【００７０】
以上の構成をもって、メイン制御手段200は、役の抽選を行い、回転リール62の回転及び停止を制御し、回転リール62がすべて停止したときに停止図柄61の判定を行い、遊技の進行を行う手段として機能することとなる。
メイン制御手段200は、遊技を制御するためのものであって、遊技を進行させるためのものである。以下、本実施の形態における遊技について説明する。
【００７１】
上述したように、遊技状態に応じて規定の賭け数が設定されると、有効ライン86（図１参照）が設定される。
賭け数を設定する方法には、メダル投入口38からメダルを投入する方法と、ベットスイッチ32を操作することによってクレジットメダルを賭け数として設定する方法とがある。そして、規定の賭け数（３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技での回転リール62の回転開始時から所定の時間（本実施の形態では、４．１秒）が経過しているか否かが判定され、所定の時間が経過すると、３個すべての回転リール62の回転が開始する。
【００７２】
回転リール62の回転開始後、所定の条件（本実施の形態では、回転リール62を加速する処理を実行した後、所定のセンサにより回転リール62の回転位置が基準位置であることを検出すること）が成立すると、ストップスイッチ50の操作が可能な状態（停止操作可能状態）となる。
【００７３】
その後に、３個のストップスイッチ50のうち１個を操作すると、当該ストップスイッチ50に対応した回転リール62の回転が停止する。そして、３個すべてのストップスイッチ50の操作を終えると、３個すべての回転リール62の回転が停止する。
このとき、有効ライン86上に所定の図柄61の組合せが揃うと、当該図柄61の組合せに対応した処理が行われる。本実施の形態に係る遊技機10は、有効ライン86上に予め定められた図柄61の組合せが揃うと遊技者に利益が付与されるように形成されている。例えば小役に対応した図柄61の組合せが有効ライン86上に揃うと、小役に対応した枚数のメダルが遊技者に対して付与される。
【００７４】
役抽選の当選確率は、複数段階、本実施の形態では、６段階（設定値１〜設定値６）設定されており、設定値によって当選確率の差がある役については、設定値１が最も低く、設定値６が最も高くなるように設定されている。
なお、設定値の段階は、６段階に限定されず、６段階未満の段階や７段階以上であっても良い。
【００７５】
また、有効ライン86上に再遊技役（リプレイ役）に対応する図柄61の組合せが揃うと、メダルの払い出しはないものの、次回の遊技において遊技者所有のメダルを使用することなく賭け数が自動的に設定され遊技を行うことができる。
【００７６】
（役抽選手段210）
役抽選手段210は、役に当選するか否かの役抽選を実行するものである。そして、役抽選において決定された役を当選役ともいう。すなわち、役抽選手段210は、メイン制御手段200が備える手段であり、スタートスイッチ40の操作を契機に、複数段階の設定値毎に予め定められた抽選確率で役に当選するか否かの役抽選を行うためのものである。
【００７７】
役抽選手段210は、役に当選したか否かを決定するための抽選テーブルを、主な分類としてノーマル遊技状態用、ボーナス内部中状態用、ボーナス遊技状態用のそれぞれに対応して複数備えており、メイン基板200bのＲＯＭ上に記憶されている。
【００７８】
役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
【００７９】
本実施の形態では、役抽選手段210により抽選される役として、図示しないが、大別すると、ボーナス移行役（遊技状態の移行を伴う役）、リプレイ役（遊技者所有のメダルを使用することなく次回の遊技を開始可能とする役、いわゆる再遊技役）、小役（メダルの払い出しを伴う役）が設けられている。
【００８０】
（リール制御手段220）
リール制御手段220は、メイン制御手段200が備える手段であり、各回転リール62の回転を停止させるためのものである。リール制御手段220は、役抽選手段210の抽選結果と、各ストップスイッチ50が操作されたときの対応する回転リール62の回転位置とに基づいて、各回転リール62の回転を停止させる。なお、リール制御手段220は、必要に応じて各ストップスイッチ50が停止操作されるときの順番（押し順）が所定の条件に適合しているか否かも停止させる条件にする場合がある。
【００８１】
（停止図柄判定手段230）
停止図柄判定手段230は、メイン制御手段200が備える手段であり、すべての回転リール62が停止した際における有効ライン86上の図柄61の組合せを記憶するとともに入賞等の判定をするためのものである。
【００８２】
（払出制御手段240）
払出制御手段240は、メイン制御手段200が備える手段であり、停止図柄判定手段230の判定結果に基づいて、メダル払い出し等の所定の処理を行うためのものである。払出制御手段240は、停止図柄判定手段230の判定の結果、小役が入賞していると判定されるとメダルの払い出しを行う。
【００８３】
（遊技制御手段250）
遊技制御手段250は、メイン制御手段200が備える手段であり、遊技状態を制御するものである。
具体的には、遊技制御手段250は、図１２に示すように、大別すると、ノーマル遊技状態制御手段251、ボーナス内部中状態制御手段252及びボーナス遊技状態制御手段253の各手段を有する。
【００８４】
（ノーマル遊技状態制御手段251）
ノーマル遊技状態制御手段251は、ノーマル遊技状態を制御するものである。ここで、ノーマル遊技状態は、ボーナス内部中状態制御手段252によるボーナス内部中状態、ボーナス遊技状態制御手段253によるボーナス遊技状態、以外の状態をいう。
【００８５】
（ボーナス内部中状態制御手段252）
ボーナス内部中状態制御手段252は、「ボーナス内部中状態」（図１６参照）を制御するものである。ここで、ボーナス内部中状態は、ボーナス移行役に当選したが、当該ボーナス移行役に対応した図柄62の組み合わせを有効ライン86上に停止表示できなかった場合に移行する。
【００８６】
（ボーナス遊技状態制御手段253）
ボーナス遊技状態制御手段253は、「ボーナス遊技状態」（図１６参照）を制御するものである。ここで、ボーナス遊技状態は、ボーナス移行役に当選し、当該ボーナス移行役に対応した図柄61の組み合わせを有効ライン86上に停止表示させることで移行する。
ボーナス遊技状態には、「ＲＢＢ１」と、「ＲＢＢ２」とがある。ここで、「ＲＢＢ１」はいわゆる「ＲＢＢ」が連続作動し、所定の枚数、例えば４０枚を超えるメダルの払い出しで終了する。また、「ＲＢＢ２」はいわゆる「ＲＢＢ」が連続作動し、所定の枚数、例えば３１２枚を超えるメダルの払い出しで終了する。
そして、ボーナス遊技状態終了後、ノーマル遊技状態に移行する。
【００８７】
（有利区間制御手段260）
有利区間制御手段260は、メイン制御手段200が備える手段であり、図１７を用いて後述するストップスイッチ50の操作態様を報知不可能な非有利区間と、報知可能な有利区間とを制御するものである。
そして、後述する演出制御手段320を用いてストップスイッチ50の押し順を報知させる演出等を実行させる。
【００８８】
また、有利区間制御手段260は、図１７に示すように、役抽選により予め定められた役に当選した場合に「非有利区間」から「有利区間」へ移行させる。
【００８９】
なお、役抽選により予め定められた役に当選することにより、非有利区間から有利区間へ移行する場合に限定されず、当該役に当選することを契機に実行される抽選（有利区間移行抽選）により、有利区間へ移行することが決定された場合に移行するようにしても良い。
【００９０】
（特定事象検知手段270）
特定事象検知手段270は、メイン制御手段200が備える手段であり、特定事象が発生したか否かを検知するものである。
この特定事象とは、具体的には、遊技機10において、通常の状態とは異なる異常な状態が発生している状態、いわゆるエラー発生が含まれる。
【００９１】
この特定事象には、具体的には、例えば、図１４に示すように、投入メダルエラー、払出メダルエラー、払出不良エラー、払出メダル切れエラー、ＲＷＭエラー、リールエラー、オーバーフローエラー、メダル払出装置接続エラー、センサエラー等が該当する。これらの特定事象（エラー）には、それぞれの種類を分類するためのエラーコード（上記の順番にＥ０、Ｅ１、Ｅ２、Ｅ３、Ｅ４、Ｅ５、Ｅ６、Ｅ７、ＥＡ）が設定されている。
【００９２】
（遊技履歴監視手段280）
遊技履歴監視手段280は、メイン制御手段200が備える手段であり、遊技履歴を監視するものである。
遊技履歴監視手段280は、遊技機関わる情報のうち特定の情報に係るデータとして、ゲーム毎に遊技数を計数し、毎ゲーム所定の期間毎、例えば４００ゲーム毎の期間の総払出枚数、役物払出枚数、連続役物払出枚数を計数する。
【００９３】
具体的には、有利区間比率（累計）を毎ゲーム算出し、連続役物比率（６０００ゲーム）、役物比率（６０００ゲーム）、連続役物比率（累計）、役物比率（累計）を４００ゲーム毎に算出する。
有利区間比率（累計）の算出では、総累計の有利区間遊技数の、総累計の総遊技数に対する割合（百分率）（％）を算出する。
【００９４】
また、連続役物比率（６０００ゲーム）の算出では、累積の連続役物払出枚数の、累積の総払出枚数に対する割合（百分率）（％）を算出し、役物比率（６０００ゲーム）の算出では、累積の役物払出枚数の、累積の総払出枚数に対する割合（百分率）（％）を算出する。
さらに、連続役物比率（累計）の算出では、総累計の連続役物払出枚数の、総累計の総払出枚数に対する割合（百分率）（％）を算出し、役物比率（累計）の算出では、総累計の役物払出枚数の、総累計の総払出枚数に対する割合（百分率）（％）を算出する。
【００９５】
そして、算出された（１）有利区間比率（累計）、（２）連続役物比率（６０００ゲーム）、（３）役物比率（６０００ゲーム）、（４）連続役物比率（累計）、（５）役物比率（累計）が図１５に示す表示方法に従って順次表示される。
【００９６】
つぎに、図１５を用いて、比率表示器201（役比モニタ）の表示内容について説明する。
ただし、図１５中の７セグ表示の欄の表示内容が比率表示器201の具体的な表示例であり、百分率（％）が５０（％）の場合を例に挙げている。
【００９７】
具体的には、（１）有利区間比率（累計）では、比率表示器201の上位２桁（千の位と百の位）のセグメントに「有利区間比率（累計）」を示す略記「７Ａ」が表示され、比率表示器201の下位２桁（十の位と一の位）のセグメントに設置以降またＲＷＭクリア以降の累計ゲームにおける有利区間遊技数の、累計ゲームにおける総遊技数に対する割合（百分率）（％）の下位２桁が表示される。
【００９８】
また、（２）連続役物比率（６０００ゲーム）では、比率表示器201の上位２桁（千の位と百の位）のセグメントに「連続役物比率（６０００ゲーム）」を示す略記「６ｂ」が表示され、比率表示器201の下位２桁（十の位と一の位）のセグメントに直近６０００ゲームにおける連続役物払出枚数の、直近６０００ゲームにおける総払出枚数に対する割合（百分率）（％）の下位２桁が表示される。
【００９９】
さらに、（３）役物比率（６０００ゲーム）では、比率表示器201の上位２桁（千の位と百の位）のセグメントに「役物比率（６０００ゲーム）」を示す略記「７ｂ」が表示され、比率表示器201の下位２桁（十の位と一の位）のセグメントに直近６０００ゲームにおける役物払出枚数の、直近６０００ゲームにおける総払出枚数に対する割合（百分率）（％）の下位２桁が表示される。
【０１００】
さらに、（４）連続役物比率（累計）では、比率表示器201の上位２桁（千の位と百の位）のセグメントに「連続役物比率（累計）」を示す略記「６ｃ」が表示され、比率表示器201の下位２桁（十の位と一の位）のセグメントに設置以降またはＲＷＭクリア以降の累計ゲームにおける連続役物払出枚数の、設置以降またはＲＷＭクリア以降の累計ゲームにおける総払出枚数に対する割合（百分率）（％）の下位２桁が表示される。
【０１０１】
（５）役物比率（累計）では、比率表示器201の上位２桁（千の位と百の位）のセグメントに「役物比率（累計）」を示す略記「７ｃ」が表示され、比率表示器201の下位２桁（十の位と一の位）のセグメントに設置以降またはＲＷＭクリア以降の累計ゲームにおける役物払出枚数の、設置以降またはＲＷＭクリア以降の累計ゲームにおける総払出枚数に対する割合（百分率）（％）の下位２桁が表示される。
【０１０２】
これらの（１）有利区間比率（累計）、（２）連続役物比率（６０００ゲーム）、（３）役物比率（６０００ゲーム）、（４）連続役物比率（累計）、（５）役物比率（累計）が、所定の順番で表示される。具体的には、（１）有利区間比率（累計）が一定期間表示される。続いて、（２）連続役物比率（６０００ゲーム）が一定期間表示され、さらに続いて、（３）役物比率（６０００ゲーム）が一定期間表示される。さらに続いて、（４）連続役物比率（累計）が一定期間表示され、さらに続いて、（５）役物比率（累計）が一定期間表示される。
なお、比率表示器201（役比モニタ）の表示は一例であり、上述したものをすべて表示する必要はなく、又、上述したものに限定されず、他の比率を表示するようにしても良い。
【０１０３】
（送信手段290）
送信手段290は、サブ制御手段300へ信号を送信するためのものである。
【０１０４】
（サブ制御手段300）
サブ制御手段300は、図１３に示すように、受信手段310、演出制御手段320の各手段を有する。各手段の詳細については後述する。なお、演出制御手段320は、サブ制御手段300ではなく、メイン制御手段200とサブ制御手段300との両方に分けて有するようにしても良い。
【０１０５】
以上の構成をもって、サブ制御手段300は、メイン制御手段200からの信号を受けて、遊技の進行に伴う演出を行うものである。
具体的には、サブ制御手段300は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示装置84を駆動するための液晶制御基板（図示せず）に対して出力する映像データを規定するデータを出力したりする。
【０１０６】
（受信手段310）
受信手段310は、送信手段290からの信号を受信するものである。
【０１０７】
（演出制御手段320）
演出制御手段320は、図１６に示す遊技状態及び図１７に示す有利区間の状態に応じた遊技機10の演出を制御するものである。
また、演出制御手段320は、図１７に示す有利区間の間、メイン制御手段200の有利区間制御手段260からストップスイッチ50の押し順を報知させるコマンドを受信した場合に当該ストップスイッチ50の押し順を報知させる演出を実行する。
【０１０８】
具体的には、各ストップスイッチ50の位置（詳しくは各ストップスイッチ50に対応する回転リール62の位置）と対応する表示装置84の画面に、押し順を示す複数の画像又は映像（例えば「１」「２」「３」）を表示することで押し順を報知する。その後、前記押し順を示す画像又は映像は、ストップスイッチ50が操作される度に、当該操作されたストップスイッチ50の位置に対応する部分が消去（又は順序を示さない画像に変更）される。
【０１０９】
また、演出制御手段320は、メイン制御手段200から特定事象が発生したことを示す信号と扉開閉用スイッチがオフになったことを示す信号が送信された場合は、表示装置のモータを駆動し、退避状態へ変形させる（図４、図８参照）。
そして、後述するように、退避状態で表示装置84の一部に特定事象の点検内容に関する表示を行うようにしている（図６、図１０参照）。
また、当該退避状態で、後述するように、点検内容に関する表示を行っていない表示装置の他の一部を光源として点灯するようにしている（図６、図１０参照）。
【０１１０】
（図１６を用いた遊技状態の説明）
つぎに、図１６を用いて遊技状態について説明する。
遊技状態は、メイン制御手段200により管理され、図１６に示すように、大別すると、ノーマル遊技状態、ボーナス遊技状態がある。
【０１１１】
（ノーマル遊技状態）
ノーマル遊技状態は、ノーマル遊技状態制御手段251により制御される。
ノーマル遊技状態における役抽選によりボーナス移行役に当選した場合に、ノーマル遊技状態からボーナス内部中状態へ移行する。
【０１１２】
（ボーナス内部中状態）
ボーナス内部中状態は、ボーナス内部中状態制御手段252により制御され、ノーマル遊技状態において、ボーナス移行役に当選し、当該ボーナス移行役に対応する図柄組合せが停止表示されなかった場合に移行する。
【０１１３】
（ボーナス遊技状態）
ボーナス遊技状態は、ボーナス遊技状態制御手段253により制御され、本実施の形態では、ボーナス移行役に当選し、当該ボーナス移行役に対応する図柄組合せが停止表示された場合に移行する。
【０１１４】
ボーナス遊技状態は、「ＲＢＢ１」と、「ＲＢＢ２」とがある。ここで、「ＲＢＢ１」はいわゆる「ＲＢＢ」が連続作動し、所定の枚数、例えば４０枚を超えるメダルの払い出しで終了する。また、「ＲＢＢ２」はいわゆる「ＲＢＢ」が連続作動し、所定の枚数、例えば３１２枚を超えるメダルの払い出しで終了する。
そして、ボーナス遊技状態終了後、ノーマル遊技状態に移行する。
【０１１５】
（図１７を用いた有利区間の説明）
図１７に示すように、役抽選により予め定められた押し順でストップスイッチ50の操作がされた場合に入賞となる押し順役に当選した場合に、当該押し順を遊技者に報知不可能な「非有利区間」と、「非有利区間」から移行可能であり、役抽選により予め定められた押し順でストップスイッチ50の操作がされた場合に入賞となる押し順役に当選した場合に、当該押し順を遊技者に報知可能な「有利区間」とがある。
【０１１６】
「非有利区間」は、「有利区間」を除いた区間である。
「非有利区間」から「有利区間」には、非有利区間における役抽選により予め定められた役に当選したことに基づいて移行する。
なお、「非有利区間」から「有利区間」には、予め定められた役に当選したことに基づいて移行する場合に限定されず、予め定められた役に当選し、当該役に対応する図柄組合せが有効ライン86上に停止表示されたことに基づいて移行することとしても良いし、又、予め定められた役に当選した場合に有利区間移行抽選を行い、当該有利区間移行抽選に当選したことに基づいて移行することとしても良い。
【０１１７】
また、本実施の形態では、区間報知ランプ90は、有利区間へ移行する契機となる予め定められた役に当選したゲームのいわゆる第３停止後に点灯するように設定されている。
【０１１８】
（有利区間）
「有利区間」は、「非有利区間」よりも遊技者に有利な区間であって、図示しないが、「ＡＴ状態」などを備える。
【０１１９】
なお、ここで、遊技者に有利な区間とは、例えば、非有利区間では、役抽選により予め定められた押し順でストップスイッチ50の操作がされた場合に入賞となる押し順役に当選した場合であっても、当該押し順を遊技者に報知することが不可能であった状態から可能な状態になったことや、非有利区間では実行されないＡＲＴ状態が実行されることなどから、遊技者に有利な区間となっている。
したがって、「有利区間」全体を通して遊技者にとって有利である必要はなく、「有利区間」の一部で遊技者にとって有利ではないことがあっても良い。
【０１２０】
また、非有利区間から有利区間へ移行してから、所定の上限ゲーム数、例えば１５００ゲームを消化した場合は、有利区間の上限ゲーム数に到達したとして、有利区間から非有利区間へ移行するようにしている。
そのため、メイン制御手段200では、所定の上限ゲーム数（１５００ゲーム）に到達するか否か判定するため、有利区間へ移行した後の消化ゲーム数を計数している。
【０１２１】
また、非有利区間から有利区間へ移行した後、所定の上限ゲーム数（１５００ゲーム）を消化する前（有利区間の上限ゲーム数に到達する前）であっても、予め定められた所定枚数の出玉（例えばいわゆる差枚数２４００枚）を獲得したときには、これを契機に、上限ゲーム数を消化する前であっても、有利区間から非有利区間へ移行するようにしている。
そのため、メイン制御手段200では、予め定められた所定枚数の出玉（いわゆる差枚数２４００枚）に到達するか否か判定するため、有利区間へ移行した後の投入枚数と払出枚数とを計数している。
【０１２２】
また、有利区間には、ＡＴ状態だけではなく、有利区間からＡＴ状態などの特殊な状態を除いた有利区間通常状態や、ＡＴ状態のゲーム数を上乗せさせるか否かを抽選する上乗せ状態、ＡＴ状態を継続させるか否かを抽選する継続状態などを備えても良い。
【０１２３】
（ＡＴ状態）
「ＡＴ状態」は、「非有利区間」より遊技者に有利な状態である。当該「ＡＴ状態」に移行すると、所定の役の入賞をアシストするための報知演出として、当選した役の押し順が報知される遊技（ＡＴ）が開始され、報知された押し順に従ってストップスイッチ50を操作することで、当選した小役や再遊技役の図柄の組み合わせを停止表示させることができる。このため、成立した小役に対応する所定枚数のメダルが払い出される。
「ＡＴ状態」は、所定のゲーム数、例えば５０ゲームの間、実行可能な状態である。そして、所定のゲーム数が消化されると、「ＡＴ状態」から「非有利区間」や「有利区間通常状態」へ移行する。
【０１２４】
（表示装置84の退避状態への変形）
図５、図９を用いて、前扉14が開放されることに伴う変形について説明する。
上述したように、表示装置84は、可撓性を備え、前扉14を開放することにより、メイン基板ケース200aの遊技者側を覆い得る位置から退避させた退避状態へ変形可能に形成されている。
【０１２５】
ここで、メイン基板ケース200aの遊技者側を覆い得る位置から退避させた退避状態は、筐体12を正面側から見た場合にメイン基板ケース200aと表示装置84とが重なる位置である主制御装置の遊技者側を覆い得る位置から、遊技店の店員が遊技機10の点検をする際などに、メイン基板ケース200a、メイン基板200bの少なくとも頻繁に点検を要する箇所や、部品など、例えば、比率表示器201（役比モニタ）や、ＣＰＵ、かしめ部202などが表示装置84により遮られることがない位置まで退避させた状態である。
【０１２６】
具体的には、前扉14が開放されることにより、扉開閉用スイッチ19がオフになった場合に、モータ84cを駆動し、図５に示すように、表示装置84を折り曲げることにより退避状態へ変形させる。
【０１２７】
より具体的には、図５（Ａ）に示すように、表示装置84には、左右方向に４個の回転軸（第１回転軸84d、第２回転軸84e、第３回転軸84f、第４回転軸84g）を備え、各回転軸84d,84e,84f,84gにより、表示装置84のパネル部Pを折り曲げ可能に形成されている。そして、モータ84cを駆動することにより、表示装置84の右端の第１回転軸84dを備えたスライダ84hをモータ84cによって回転されるボールねじ84iに沿って表示装置84の左側の第４回転軸84g側へ移動させる。かかる移動に伴い、図５（Ｂ）に示すように、表示装置84の第２回転軸84eと第３回転軸84fとにより表示装置84のパネル部Pをボールねじ84iの前側に折り曲げつつ、表示装置84を図示しない回転軸により、表示領域が遊技機10の右側を向くように回転させる。
【０１２８】
かかる退避状態へ変形させることで、図４に示すように、遊技店の店員などがメイン基板ケース200a、メイン基板200bを視認することが可能となり、遊技機10の点検やメンテナンスに際し、表示装置84が邪魔になることを防止することができる。
【０１２９】
なお、退避状態への移動はかかる構造を備えるものに限定されず、例えば、スライダ84hにモータ84cを備えても良いし、又、各回転軸84d,84e,84f,84gにモータを備え、当該モータを駆動させることにより表示装置84を折り曲げるようにしても良い。
また、モータ84cを使用せず、前扉14と表示装置84とを棒状や紐状の構造物により連結させ、前扉14が開放されることにより、当該構造物が引っ張られることに伴い、退避状態へ変形するようにしても良い。
【０１３０】
また、前扉14の開放により退避状態へ変形する場合に限定されず、遊技店の店員が各種のスイッチ（ベットスイッチ32、スタートスイッチ40、ストップスイッチ50など）を用いてコマンドを入力することや、前扉14を開放した後に、手を用いて表示装置84を折り曲げるなどの手法で、退避状態へ変形させることを妨げるものではない。
【０１３１】
また、他の例として、前扉14が開放されることにより、扉開閉用スイッチ19がオフになった場合に、モータ84cを駆動し、図９に示すように、表示装置84を巻き取ることにより退避状態へ変形させる場合について説明する。
【０１３２】
具体的には、モータ84jを駆動させることにより、図９（Ａ）に示す状態から図９（Ｂ）に示す状態のように、表示装置84の右端の回転軸84kを備えたスライダ84lをモータ84jによって回転されるボールねじ84mに沿って表示装置84の左側へ移動させる。かかる移動とともに、回転軸84kを回転させて、表示装置84のパネル部Pを回転軸84kで巻き取る。そして、図９（Ｃ）に示すように、表示装置84の左端までスライダ84lを移動させる。
【０１３３】
かかる退避状態へ変形させることで、図８に示すように、遊技店の店員などがメイン基板ケース200a、メイン基板200bを視認することが可能となり、遊技機10の点検やメンテナンスに際し、表示装置84が邪魔になることを防止することができる。
【０１３４】
なお、退避状態への移動はかかる構造を備えるものに限定されず、例えば、スライダ84lにモータ84jを備えて移動しながら表示装置84のパネル部Pを巻き取るようにしても良い。
また、モータ84jを使用せず、前扉14と表示装置84（回転軸k）とを棒状や紐状の構造物により連結させ、前扉14が開放されることにより、当該構造物が引っ張られることに伴い、退避状態へ変形するようにしても良い。
【０１３５】
また、前扉14の開放により退避状態へ変形する場合に限定されず、遊技店の店員が各種のスイッチ（ベットスイッチ32、スタートスイッチ40、ストップスイッチ50など）を用いてコマンドを入力することや、前扉14を開放した後に、手を用いて表示装置84を巻き取るなどの手法で、退避状態へ変形させることを妨げるものではない。
【０１３６】
（特定事象の点検内容に関する表示）
図６に示すように、表示装置84は、退避状態で、当該表示装置84の遊技者側に向かった一部84aに特定事象の点検内容に関する表示が行われる。
図６を用いて、表示装置84を折り曲げることにより退避状態へ変形される場合の特定事象の点検内容に関する表示について説明する。
まず、特定事象が発生すると、報知装置（払出枚数表示器88）に特定事象のエラーコードが表示される。
【０１３７】
例えば、特定事象が、図１４に示す「投入メダルエラー」である場合は、エラーコードとして「Ｅ０」が表示される。
そして、当該エラーコードが表示されることなどにより、特定事象が生じたことを遊技店の店員が認識した場合は、点検をするために、前扉14を開放させる。かかる開放に伴い、図４、図５（Ｂ）、図６に示すように表示装置84が折り曲げられ、退避状態へ変形されることで、メイン基板ケース200a、メイン基板200bを視認容易とする。
【０１３８】
ここで、例えば、特定事象が、図１４に示す「投入メダルエラー」である場合は、図６に示すように、表示装置の一部84aに、「Ｅ０：投入メダルエラー」と表示すると共に、メダル投入口内部を点検することが表示される。
これは、特定事象が生じた場合に、遊技店の店員が前扉14を開放して筐体12の内部の特定事象を生じさせた場所を点検するが、特定事象が生じた場合に当該特定事象の種類を報知可能な報知装置（払出枚数表示器88）は、前扉14の前面側に設けられており、筐体12の内部を点検している場合に、当該報知装置（払出枚数表示器88）は視認不可能であるため、前扉14を開放した状態でも、特定事象の種類や、対応の仕方などの点検内容に関する表示を表示装置84に表示することで、点検を容易にするためである。
なお、前扉14の上側に液晶装置が配置された従来の遊技機では、特定事象が生じた場合に当該特定事象の種類を液晶装置でも報知しているが、前扉14を開放した状態では、液晶装置は視認不可能であるため、本願のように筐体12側に表示装置84を配置することで、点検を容易にすることが可能となる。
【０１３９】
また、図６に示すように、退避状態で、表示装置84の筐体12の内部側に向かった表示装置の他の一部84bを光源として点灯することで、筐体12の内部を照光可能にしている。
これは、筐体12の内部には、当該内部側を照光するライトなどが設けられていないことが通常であり、遊技店の店内の照明に頼って内部を筐体12の内部を点検すると、筐体12の内部が暗く、点検内容によっては点検する箇所が見づらい場合が多いため、別途ライトなどを用いることなく点検を容易にするためである。
【０１４０】
つぎに、図１０を用いて、表示装置84を巻き取ることにより退避状態へ変形される場合の特定事象の点検内容に関する表示について説明する。
まず、特定事象が発生すると、報知装置（払出枚数表示器88）に特定事象のエラーコードが表示される。
例えば、特定事象が、図１４に示す「投入メダルエラー」である場合は、エラーコードとして「Ｅ０」が表示される。
【０１４１】
そして、当該エラーコードが表示されることなどにより、特定事象が生じたことを遊技店の店員が認識した場合は、点検をするために、前扉14を開放させる。かかる開放に伴い、図７、図８、図９に示すように表示装置84が巻き取られ、退避状態へ変形されることで、メイン基板ケース200a、メイン基板200bを視認容易とする。
【０１４２】
ここで、例えば、特定事象が、図１４に示す「投入メダルエラー」である場合は、図１０に示すように、表示装置の一部84aに、「Ｅ０：投入メダルエラー」と表示する。
なお、上述した表示装置84を折り曲げることにより退避状態へ変形される場合の特定事象の点検内容に関する表示とは異なり、表示スペースの都合上メダル投入口内部を点検することは表示されないが、最後まで巻き取らず、巻き取り量を調整することで表示スペースを確保して、メダル投入口内部を点検することを表示するようにしても良い。
【０１４３】
これは、特定事象が生じた場合に、遊技店の店員が前扉14を開放して筐体12の内部の特定事象を生じさせた場所を点検するが、特定事象が生じた場合に当該特定事象の種類を報知可能な報知装置（払出枚数表示器88）は、前扉14の前面側に設けられており、筐体12の内部を点検している場合に、当該報知装置（払出枚数表示器88）は視認不可能であるため、前扉14を開放した状態でも、特定事象の種類や、対応の仕方などの点検内容に関する表示を表示装置84に表示することで、点検を容易にするためである。
【０１４４】
また、図１０に示すように、退避状態で、表示装置84の筐体12の内部側に向かった表示装置の他の一部84bを光源として点灯することで、筐体12の内部を照光可能にしている。
これは、筐体12の内部には、当該内部側を照光するライトなどが設けられていないことが通常であり、遊技店の店内の照明に頼って内部を筐体12の内部を点検すると、筐体12の内部が暗く、点検内容によっては点検する箇所が見づらい場合が多いため、別途ライトなどを用いることなく点検を容易にするためである。
【０１４５】
（第２の実施の形態）
つぎに、第２の実施の形態について図１、図１８〜図２２を用いて説明する。
上述した第１の実施の形態は、表示装置84を退避状態に変形することでメイン基板ケース200a、メイン基板200bを視認可能としたが、本第２の実施の形態は、表示装置84を透明状態Tにすることでメイン基板ケース200a、メイン基板200bを視認可能とするものである。
なお、本第２の実施の形態は、第１の実施の形態の表示装置84を退避状態に変形する構成を備えつつ表示装置84を透明にすることと、第１の実施の形態の表示装置84を退避状態に変形する構成を備えず表示装置84を透明することと、の両方を含むものである。
上述した第１の実施の形態と異なる部分を中心に説明し、重複する部分については説明を簡略又は省略する。
【０１４６】
（表示装置84）
表示装置84は、演出内容を表示可能であり、表示領域の少なくとも一部を透明状態T又は不透明状態Oに切り替え可能なものである。
ここで、透明状態Tは、表示装置84の後面側が視認可能な状態であり、不透明状態Oは、表示装置84の後面側が視認不可能な状態である。
ここで、図１は、表示領域の全てを不透明状態Oにしている状態を示す図であり、図１８、図１９は、表示領域の全てを透明状態Tにしている状態を示す図である。
そして、表示装置84の表示領域の全てを不透明状態Oにしている状態で、演出制御手段320による演出が実行される。
【０１４７】
また、表示装置84は、遊技機10の電源が切られた状態では、全ての表示領域が不透明状態Oとなるように形成される。
なお、本実施の形態でも、表示装置84は、筐体12側に設けられることが望ましいが、前扉14側に設けられることを排除するものではない。
【０１４８】
具体的には、表示装置84は、前扉14により筐体12の前面側を閉じた状態であると共に、演出内容を表示可能な状態である遊技可能状態で、当該表示装置84を透明状態Tにするとメイン基板ケース200a、メイン基板200bが視認可能となり、不透明状態Oにするとメイン基板ケース200a、メイン基板200bが視認不可能な状態になるように配置される。
【０１４９】
そして、前扉14を閉じた状態で、特定の操作、例えば、遊技店の店員が通常の遊技の操作では行わない各種のスイッチ（ベットスイッチ32、スタートスイッチ40、ストップスイッチ50など）を用いたコマンドの入力を行うことにより、表示領域の少なくとも一部を透明状態Tにすることでメイン基板ケース200aやメイン基板200bの特定部分を視認可能にする。
ここで、「通常の遊技の操作では行わない」には、各種のスイッチを特別な順番で操作することや、前扉14を開閉するための鍵をさした状態で各種のスイッチを操作することなどを含む。
これにより、前扉14を開放することなく、遊技店の店員などが点検をすることが可能となる。
【０１５０】
また、「メイン基板ケース200aとメイン基板200bとの特定部分」は、メイン基板ケース200aとメイン基板200bとの複数箇所、例えば、メイン基板200bの比率表示器201（役比モニタ）の前面側（図２０参照）や、ＣＰＵの前面側（図２１参照）、メイン基板ケース200aのかしめ部202の前面側（図２２参照）などの、遊技機10の点検に際し遊技店の店員が見る必要のある箇所に設けられる。
そして、特定の契機、例えば、時間の経過や、遊技店の店員による切り替え操作などにより、特定部分に対応した表示領域を透明状態Tに切り替えるようにしている。
【０１５１】
また、表示領域の一部を不透明状態Oにして、当該不透明状態Oにした表示領域に、点検内容に関する表示を行うことを可能にしている。
具体的には、特定部分が比率表示器201（役比モニタ）の場合は、図２０に示すように、例えば、比率表示器201（役比モニタ）に表示されている数値の適正範囲として、「７Ａ」の「有利区間比率（累計）」では、比率が「７０％以内」であることなどを遊技店の店員に向けて表示することで、遊技機10が故障していることや、不正改造されているおそれがあることなどを判断可能にしている。
【０１５２】
また、特定部分が「ＣＰＵ」である場合は、図２１に示すように、例えば、ＣＰＵの表面に刻印されているメーカー名や型番などの情報を遊技店の店員に向けて表示することで、ＣＰＵが不正なＣＰＵに交換されているおそれがあることなどを判断可能にしている。
【０１５３】
また、特定部分が「かしめ部」である場合は、図２２に示すように、例えば、かしめ部202の正しい状態を示す画像を遊技店の店員に向けて表示することで、かしめ部202に、基板ケース200aが不正に開放されたおそれがあることなどを判断可能にしている。
【０１５４】
なお、特定部分は、上述したものに限定されず、又、採用される遊技機10の機種毎にメイン基板ケース200a、メイン基板200bにおける特定部分の配置も異なるため、不透明状態Oにする表示領域を変更可能にすることが望ましい。
より詳しくは、遊技機10の機種毎に、点検対象となる部品の位置や形状が異なり、遊技店の店員などの点検する者がマニュアルを確認しながら点検することは負担が大きいものとなる。そのため、機種毎に点検対象となる部品の位置や形状に関する情報を記憶しておき、マニュアルを確認することなく複数種類の機種の点検を効率的に行うことが可能となる。
【０１５５】
（演出制御手段320）
演出制御手段320は、メイン制御手段200から特定の操作、例えば、遊技店の店員が各種のスイッチ（ベットスイッチ32、スタートスイッチ40、ストップスイッチ50など）を用いたコマンドの入力が行われたことを示す信号が送信された場合は、表示装置84の表示領域の一部を透明状態Tに制御する。
そして、表示装置84の透明状態Tにしていない表示領域の一部の不透明状態Oの表示領域に、点検内容に関する表示を行うようにしている（図２０〜図２２参照）。
【０１５６】
なお、本第２の実施の形態を、第１の実施の形態の表示装置84を退避状態に変形する構成も備えているように構成する場合は、退避状態に変形した表示装置84（図９（Ｂ）参照）の一部を透明状態Tにして、メイン基板ケース200aとメイン基板200bとの特定部分を視認可能とすると共に、透明状態Tではない不透明状態Oの表示領域に点検内容に関する表示を行うようにしても良い。
【０１５７】
なお、本発明は、上述した実施の形態に限定されるものではなく、その趣旨を逸脱しない限りにおいて、上述したもの以外に種々の変更を行うことが可能である。
【０１５８】
以上のように、本発明では、以下の効果を奏する。
本発明は、前扉14を開放することなく、遊技機10の簡易的な検査や遊技機10の状態を把握することが可能な遊技機を提供することができる。
そして、不正行為などが行われていることや、エラーが起きていることなどを迅速に把握することが可能となる。
【０１５９】
また、本発明は、さらに、前扉14を開放することなく、表示部を視認することができ、遊技機10の情報を把握することが可能な遊技機10を提供することができる。
また、比率表示器201（役比モニタ）は、採用される遊技機(10)の機種毎にメイン基板200bにおける配置も異なるため、遊技店の店員などの点検する者がマニュアルを確認しながら点検することは負担が大きいものとなる。そのため、機種毎に点検対象となる比率表示器201（役比モニタ）の位置などに関する情報を記憶しておき、マニュアルを確認することなく複数種類の機種の点検を効率的に行うことが可能な遊技機10を提供することができる。
【０１６０】
また、本発明は、さらに、点検内容に関する表示として、例えば、特定部分の正しい状態などを表示することにより、実施の不透明状態Oにされることで視認可能となった特定部分と比較することが可能となり、遊技機10が故障していることや、不正改造されているおそれがあることなどを判断可能にすることが可能な遊技機10を提供することができる。
【０１６１】
また、本発明は、さらに、１度の点検で、必要な点検箇所を順次点検することが可能な遊技機10を提供することができる。
また、採用される遊技機10の機種毎に、メイン基板ケース200a、メイン基板200bにおける特定部分の配置も異なるため、遊技店の店員などの点検する者がマニュアルを確認しながら点検することは負担が大きいものとなる。そのため、機種毎に点検対象となる部品の位置や形状などに関する情報を記憶しておき、マニュアルを確認することなく複数種類の機種の点検を効率的に行うことが可能な遊技機10を提供することができる。
【０１６２】
また、本発明は、さらに、停電時や、遊技機10の電源が切られた運搬時などに、メイン基板200bが視認可能となることを防止することが可能な遊技機10を提供することができる。
また、メイン基板200bが視認可能となることに伴う、不正改造の誘発などを防止することが可能な遊技機10を提供することができる。
【０１６３】
また、本発明は、さらに、表示装置84を筐体12側に配置することで、遊技機10の重量バランスを取りやすくすることが可能な遊技機10を提供することができる。
また、前扉14を閉じた状態でも透過部85を通して透明状態Tとなった部分に対応するメイン制御基板200を視認可能とすることが可能な遊技機10を提供することができる。
【０１６４】
また、本発明は、さらに、メイン制御基板200を覆うように表示装置84を配置することで、不正行為によりメイン制御基板200にアクセスし難くすることが可能となり、不正行為が行われ難くすることが可能な遊技機10を提供することができる。
また、遊技店の店員が遊技機10の点検をする際などに、表示装置84に邪魔されることなく、メイン制御基板200にアクセスすることが可能な遊技機10を提供することができる。
【０１６５】
また、本発明は、さらに、筐体12の内部には、当該内部側を照光するライトなどが設けられていないことが通常であり、遊技店の店内の照明に頼って内部を筐体12の内部を点検すると、筐体12の内部が暗く、点検内容によっては点検する箇所が見づらい場合が多い。そのため、別途ライトなどを用いることなく点検を容易にすることが可能な遊技機10を提供することができる。
【符号の説明】
【０１６６】
10  遊技機                          12  筐体
14  前扉                            16  図柄表示窓部
17  メダルセレクタ                  18  外部集中端子板
19  扉開閉用スイッチ                20  上パネル
22  下パネル                        24  ホッパーユニット
26  メダル受け皿                    28  メダル払出口
30  操作部                          32  ベットスイッチ
34  マックスベットスイッチ          35  シングルベットスイッチ
36  精算スイッチ                    38  メダル投入口
40  スタートスイッチ                42  演出用ボタンスイッチ
43  電源ユニット                    44  電源スイッチ
45  設定キースイッチ                46  設定変更スイッチ
50  ストップスイッチ                Ｌ  左ストップスイッチ
Ｃ  中ストップスイッチ              Ｒ  右ストップスイッチ
60  リールユニット                  61  図柄
62  回転リール                      63  リール位置センサ
64  左回転リール                    65  リール駆動モータ
66  中回転リール                    67  バックランプ
68  右回転リール                    70  演出装置
72  スピーカー                      74  上部スピーカー
76  下部スピーカー                  78  演出用ランプ
80  上部ランプ                      82  下部ランプ
84  表示装置                       86  有効ライン
87  クレジット表示器                88  払出枚数表示器
89  設定表示器                      90  区間報知ランプ
92  投入センサ                      94  払出センサ
95  ホッパーモータ                  96  オーバーフローセンサ
100  制御装置
200  メイン制御手段                 200a  メイン基板ケース
200b  メイン基板                    201  比率表示器（役比モニタ）
202  かしめ部                       210  役抽選手段
220  リール制御手段                230  停止図柄判定手段
240  払出制御手段                  250  遊技制御手段
251  ノーマル遊技状態制御手段       252  ＲＴ状態制御手段  
253  ボーナス内部中状態制御手段    254  ボーナス遊技状態制御手段
260  有利区間制御手段              261  ＡＴ抽選手段
270  送信手段
300  サブ制御手段                   300a  サブ基板ケース
310  受信手段                       320  演出制御手段
【図１】
2019198534.tif 000003
【図２】
2019198534.tif 000004
【図３】
2019198534.tif 000005
【図４】
2019198534.tif 000006
【図５】
2019198534.tif 000007
【図６】
2019198534.tif 000008
【図７】
2019198534.tif 000009
【図８】
2019198534.tif 000010
【図９】
2019198534.tif 000011
【図１０】
2019198534.tif 000012
【図１１】
2019198534.tif 000013
【図１２】
2019198534.tif 000014
【図１３】
2019198534.tif 000015
【図１４】
2019198534.tif 000016
【図１５】
2019198534.tif 000017
【図１６】
2019198534.tif 000018
【図１７】
2019198534.tif 000019
【図１８】
2019198534.tif 000020
【図１９】
2019198534.tif 000021
【図２０】
2019198534.tif 000022
【図２１】
2019198534.tif 000023
【図２２】
2019198534.tif 000024
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
前面側が開放され、他の面を板状体で形成される直方体状の筐体と、
前記筐体の前面側を開閉可能に覆う前扉と、を備え、
前記筐体は、当該筐体の他の面のいずれかの面に配置され、遊技の進行を制御する主制御装置を備え、
前記筐体又は前記前扉は、演出内容を表示可能であり、表示領域の少なくとも一部を透明状態又は不透明状態に切り替え可能な表示装置を備え、
前記表示装置は、前記前扉により前記筐体の前面側を閉じた状態であると共に、演出内容を表示可能な状態である遊技可能状態で、当該表示装置を前記透明状態にすると前記主制御装置が視認可能となり、前記不透明状態にすると前記主制御装置が視認不可能な状態になるように配置され、
前記前扉を閉じた状態で、特定の操作を行うことにより、前記表示領域の少なくとも一部を前記透明状態にすることで前記主制御装置の特定部分を視認可能にし、
前記主制御装置には、遊技に関わる情報のうち特定の情報に係るデータを表示可能な表示部を備え、
前記表示装置は、前記表示領域の一部を前記透明状態にして、前記表示部を視認可能な状態にし、他の表示領域を前記不透明状態にしていることを特徴とする記載の遊技機。
【請求項２】
前記不透明状態にした前記他の表示領域に点検内容に関する表示を行うことを可能にしていることを特徴とする請求項１に記載の遊技機。
【請求項３】
前面側が開放され、他の面を板状体で形成される直方体状の筐体と、
前記筐体の前面側を開閉可能に覆う前扉と、を備え、
前記筐体は、当該筐体の他の面のいずれかの面に配置され、遊技の進行を制御する主制御装置を備え、
前記筐体又は前記前扉は、演出内容を表示可能であり、表示領域の少なくとも一部を透明状態又は不透明状態に切り替え可能な表示装置を備え、
前記表示装置は、前記前扉により前記筐体の前面側を閉じた状態であると共に、演出内容を表示可能な状態である遊技可能状態で、当該表示装置を前記透明状態にすると前記主制御装置が視認可能となり、前記不透明状態にすると前記主制御装置が視認不可能な状態になるように配置され、
前記前扉を閉じた状態で、特定の操作を行うことにより、前記表示領域の少なくとも一部を前記透明状態にすることで前記主制御装置の特定部分を視認可能にし、
前記特定部分は、前記主制御装置の複数箇所に設けられ、特定の契機により、当該特定部分に対応した前記表示領域を透明状態に切り替えるようにしていることを特徴とする遊技機。
【請求項４】
前記表示装置は、遊技機の電源が切られた状態では、全ての表示領域が前記不透明状態となるように形成されることを特徴とする請求項１、２又は３に記載の遊技機。
【請求項５】
前記表示装置は、前記筐体に設けられ、
前記前扉には、前記表示装置に表示される演出内容を当該前扉により前記筐体の前面側を閉じた状態で視認可能とする透過部を備えることを特徴とする請求項１、２、３又は４に記載の遊技機。
【請求項６】
前記表示装置は可撓性を備え、所定の操作で前記主制御装置の遊技者側を覆い得る位置から退避させた退避状態へ変形可能に形成されていることを特徴とする請求項１、２、３、４又は５に記載の遊技機。
【請求項７】
前記前扉の前面側には、特定事象が発生した場合に、当該特定事象が生じたこと及び当該特定事象の種類を報知可能な報知装置を備え、
前記退避状態は、前記特定事象の点検内容に関する表示を行う当該表示装置の一部が遊技者側に、他の一部が前記筐体の内部側に向かった状態であり、
当該退避状態で、前記表示装置の他の一部を光源として点灯することで、前記筐体の内部を照光可能にしていることを特徴とする請求項６に記載の遊技機。
【手続補正２】
【補正対象書類名】明細書
【補正対象項目名】００１２
【補正方法】変更
【補正の内容】
【００１２】
本発明に係る遊技機(10)は、前面側が開放され、他の面を板状体で形成される直方体状の筐体(12)と、前記筐体(12)の前面側を開閉可能に覆う前扉(14)と、を備え、前記筐体(12)は、当該筐体(12)の他の面のいずれかの面に配置され、遊技の進行を制御する主制御装置を備え、前記筐体(12)又は前記前扉(14)は、演出内容を表示可能であり、表示領域の少なくとも一部を透明状態(T)又は不透明状態(0)に切り替え可能な表示装置(84)を備え、前記表示装置(84)は、前記前扉(14)により前記筐体(12)の前面側を閉じた状態であると共に、演出内容を表示可能な状態である遊技可能状態で、当該表示装置(84)を前記透明状態(T)にすると前記主制御装置が視認可能となり、前記不透明状態(O)にすると前記主制御装置が視認不可能な状態になるように配置され、前記前扉(14)を閉じた状態で、特定の操作を行うことにより、前記表示領域の少なくとも一部を前記透明状態(T)にすることで前記主制御装置の特定部分を視認可能にし、前記特定部分は、前記主制御装置の複数箇所に設けられ、特定の契機により、当該特定部分に対応した前記表示領域を透明状態(T)に切り替えるようにしていることを特徴とする。
【手続補正３】
【補正対象書類名】明細書
【補正対象項目名】００１３
【補正方法】変更
【補正の内容】
【００１３】
ここで、「当該表示装置を前記透明状態にすると前記主制御装置が視認可能となり、前記不透明状態にすると前記主制御装置が視認不可能な状態になるように配置」には、筐体(12)を正面側から見た場合に主制御装置（例えば、メイン基板ケース200a、メイン基板200b）の全部を視認不可能にする位置であるが、これに限定されず、主制御装置の全部が視認不可能にならず、一部が視認可能であっても良い。
「特定の操作」は、例えば、遊技店の店員が各種のスイッチを用いてコマンドを入力することを含む。
「特定部分」は、主制御装置の、例えば、ＣＰＵが配置されている部分や、遊技に関わる情報のうち特定の情報に係るデータを表示可能な表示部（例えば、比率表示器（役比モニタ））が配置されている部分、かしめ部が配置されている部分などを含むが、これに限定されず、点検が必要な部分であれば良い。
「特定の契機」は、例えば、時間の経過や、遊技店の店員による切り替え操作などが含まれるが、これに限定されず、遊技機(10)がエラーを起こしている部分や不正改造がされているおそれのある部分を判断し、当該部分を順次透明状態(T)に切り替えていくようにしても良い。